(57)【要約】【課題】表示装置における操作性を向上させることができる、表示装置、表示方法、及び表示プログラムを提供すること。【解決手段】表示装置１は、情報を表示するモニタ１０と、モニタ１０の表示面と利用者の手指との距離、及び当該手指の所定の動作を検出する動作検出部２１ａと、動作検出部２１ａにより検出されたモニタ１０の表示面と利用者の手指との距離に基づきモニタ１０に表示されている情報を変化させ、手指の所定の動作がモニタ１０の表示面と利用者の手指との距離が維持されている状態で動作検出部２１ａにより検出された場合、当該検出後の情報の変化を抑制する、表示制御部２１ｂと、を備える。【選択図】図１
2011253468.tif 000002
【特許請求の範囲】
【請求項１】
情報を表示する表示手段と、
前記表示手段の表示面と利用者の手指との距離、及び当該手指の所定の動作を検出する検出手段と、
前記検出手段により検出された前記距離に基づき前記表示手段に表示されている情報を変化させ、前記手指の所定の動作が前記距離が維持されている状態で前記検出手段により検出された場合、当該検出後の前記情報の変化を抑制する、表示制御手段と、
を備える表示装置。
【請求項２】
前記手指の所定の動作は、前記表示面に略直交する軸回りの所定方向への前記手指の回転である、
請求項１に記載の表示装置。
【請求項３】
前記表示制御手段は、前記検出手段により前記手指の回転が検出された回数、及び／又は回転方向に応じて前記情報の変化の抑制とは異なる処理を行う、
請求項２に記載の表示装置。
【請求項４】
前記表示制御手段は、前記軸回りの所定方向への前記手指の回転が前記検出手段により検出された場合に当該検出後の前記情報の変化を抑制し、前記所定方向とは逆方向への前記手指の回転が前記検出手段により検出された場合に前記変化の抑制を解除する、
請求項３に記載の表示装置。
【請求項５】
前記表示制御手段は、前記検出手段により検出された前記距離の変化に対応して前記表示手段に表示されている情報を変化させ、前記軸回りの所定方向への前記手指の回転が前記検出手段により検出された場合に当該検出後の前記情報の変化を抑制し、前記所定方向とは逆方向への前記手指の回転が前記検出手段により検出された場合、前記検出手段により検出された前記距離の変化に対応して前記表示手段に表示されている情報を変化させる際の変化方向を逆転する、
請求項３に記載の表示装置。
【請求項６】
前記検出手段は、前記軸回りに前記手指が所定角度回転する毎に、１回の前記手指の所定の動作を検出したものとする、
請求項３から５のいずれか一項に記載の表示装置。
【請求項７】
前記手指の所定の動作は、前記表示面と略平行な面内での前記各手指の平行移動である、
請求項１から６のいずれか一項に記載の表示装置。
【請求項８】
前記表示制御手段は、前記距離が維持されている状態で前記手指の所定の動作が前記検出手段により検出されないまま所定時間経過した場合、当該手指の所定の動作に関する案内を前記表示手段に表示させる、
請求項１から７のいずれか一項に記載の表示装置。
【請求項９】
前記表示手段は、地図を表示し、
前記表示制御手段は、前記検出手段により検出された前記距離に基づき、前記表示手段に表示されている地図の縮尺を変化させ、前記手指の所定の動作が前記検出手段により検出された場合、当該検出時の状態で前記縮尺を固定する、
請求項１から８のいずれか一項に記載の表示装置。
【請求項１０】
所定の機能を制御する機能制御手段を備え、
前記表示手段は、前記機能制御手段により制御される機能に関する選択項目を表示し、
前記表示制御手段は、前記検出手段により検出された前記距離に基づき、前記表示手段に表示されている前記選択項目を変化させ、
前記機能制御手段は、前記手指の所定の動作が前記検出手段により検出された場合、当該検出時に前記表示手段に表示されている前記選択項目に対応する制御を行う、
請求項１から９のいずれか一項に記載の表示装置。
【請求項１１】
情報を表示手段に表示する表示ステップと、
前記表示手段の表示面と利用者の手指との距離、及び当該手指の所定の動作を検出する検出ステップと、
前記検出ステップで検出された前記距離に基づき前記表示手段に表示されている情報を変化させ、前記手指の所定の動作が前記距離が維持されている状態で前記検出ステップで検出された場合、当該検出後の前記情報の変化を抑制する、表示制御ステップと、
を含む表示方法。
【請求項１２】
請求項１１に記載の方法をコンピュータに実行させる表示プログラム。
【発明の詳細な説明】
【技術分野】
【０００１】
本発明は、表示装置、表示方法、及び表示プログラムに関する。
【背景技術】
【０００２】
従来、カーナビゲーションやカーオーディオ等の各種車載機器に使用される表示装置において、これら車載機器に対する操作入力を受け付けるためのタッチパネルが用いられている。このタッチパネルは、各種の表示画面を表示するディスプレイの前面に設けられており、このタッチパネルに設定された操作領域の中で、ディスプレイの表示画面の一部として表示された操作ボタンに対応する操作領域が押圧されることで、操作入力を受け付ける。
【０００３】
このようなタッチパネルを用いた表示装置として、例えば、赤外線センサにより操作者の操作動作が検出されたときに、操作者の指がタッチパネルに近接するほどディスプレイに表示される操作スイッチ表示部の表示形態が大きくなるように変更することで、タッチパネルにおいて操作スイッチ表示部に対応する部分を確実にタッチできるようにした情報表示装置が提案されている（例えば、特許文献１参照）。
【先行技術文献】
【特許文献】
【０００４】
【特許文献１】特開２００６−１０３３５８号公報
【発明の概要】
【発明が解決しようとする課題】
【０００５】
しかしながら、上述の如き従来の装置では、操作者が指をタッチパネルに近づけていき、最終的に操作スイッチ表示部に対応する位置でタッチパネルを押圧しなければ操作動作を確定させることはできなかった。すなわち、手指をタッチパネルに触れさせる前の状態で何らかの操作動作を確定させることはできなかったため、操作性にはさらなる向上の余地があった。
【０００６】
本発明は、上記に鑑みてなされたものであって、表示装置における操作性を向上させることができる、表示装置、表示方法、及び表示プログラムを提供することを目的とする。
【課題を解決するための手段】
【０００７】
上述した課題を解決し、目的を達成するために、請求項１に記載の表示装置は、情報を表示する表示手段と、前記表示手段の表示面と利用者の手指との距離、及び当該手指の所定の動作を検出する検出手段と、前記検出手段により検出された前記距離に基づき前記表示手段に表示されている情報を変化させ、前記手指の所定の動作が前記距離が維持されている状態で前記検出手段により検出された場合、当該検出後の前記情報の変化を抑制する、表示制御手段と、を備える。
【０００８】
また、請求項２に記載の表示装置は、請求項１に記載の表示装置において、前記手指の所定の動作は、前記表示面に略直交する軸回りの所定方向への前記手指の回転である。
【０００９】
また、請求項３に記載の表示装置は、請求項２に記載の表示装置において、前記表示制御手段は、前記検出手段により前記手指の回転が検出された回数、及び／又は回転方向に応じて前記情報の変化の抑制とは異なる処理を行う。
【００１０】
また、請求項４に記載の表示装置は、請求項３に記載の表示装置において、前記表示制御手段は、前記軸回りの所定方向への前記手指の回転が前記検出手段により検出された場合に当該検出後の前記情報の変化を抑制し、前記所定方向とは逆方向への前記手指の回転が前記検出手段により検出された場合に前記変化の抑制を解除する。
【００１１】
また、請求項５に記載の表示装置は、請求項３に記載の表示装置において、前記表示制御手段は、前記検出手段により検出された前記距離の変化に対応して前記表示手段に表示されている情報を変化させ、前記軸回りの所定方向への前記手指の回転が前記検出手段により検出された場合に当該検出後の前記情報の変化を抑制し、前記所定方向とは逆方向への前記手指の回転が前記検出手段により検出された場合、前記検出手段により検出された前記距離の変化に対応して前記表示手段に表示されている情報を変化させる際の変化方向を逆転する。
【００１２】
また、請求項６に記載の表示装置は、請求項３から５のいずれか一項に記載の表示装置において、前記検出手段は、前記軸回りに前記手指が所定角度回転する毎に、１回の前記手指の所定の動作を検出したものとする。
【００１３】
また、請求項７に記載の表示装置は、請求項１から６のいずれか一項に記載の表示装置において、前記手指の所定の動作は、前記表示面と略平行な面内での前記各手指の平行移動である。
【００１４】
また、請求項８に記載の表示装置は、請求項１から７のいずれか一項に記載の表示装置において、前記表示制御手段は、前記距離が維持されている状態で前記手指の所定の動作が前記検出手段により検出されないまま所定時間経過した場合、当該手指の所定の動作に関する案内を前記表示手段に表示させる。
【００１５】
また、請求項９に記載の表示装置は、請求項１から８のいずれか一項に記載の表示装置において、前記表示手段は、地図を表示し、前記表示制御手段は、前記検出手段により検出された前記距離に基づき、前記表示手段に表示されている地図の縮尺を変化させ、前記手指の所定の動作が前記検出手段により検出された場合、当該検出時の状態で前記縮尺を固定する。
【００１６】
また、請求項１０に記載の表示装置は、請求項１から９のいずれか一項に記載の表示装置において、所定の機能を制御する機能制御手段を備え、前記表示手段は、前記機能制御手段により制御される機能に関する選択項目を表示し、前記表示制御手段は、前記検出手段により検出された前記距離に基づき、前記表示手段に表示されている前記選択項目を変化させ、前記機能制御手段は、前記手指の所定の動作が前記検出手段により検出された場合、当該検出時に前記表示手段に表示されている前記選択項目に対応する制御を行う。
【００１７】
また、請求項１１に記載の表示方法は、情報を表示手段に表示する表示ステップと、前記表示手段の表示面と利用者の手指との距離、及び当該手指の所定の動作を検出する検出ステップと、前記検出ステップで検出された前記距離に基づき前記表示手段に表示されている情報を変化させ、前記手指の所定の動作が前記距離が維持されている状態で前記検出ステップで検出された場合、当該検出後の前記情報の変化を抑制する、表示制御ステップと、を含む。
【００１８】
また、請求項１２に記載の表示プログラムは、請求項１１に記載の方法をコンピュータに実行させる。
【発明の効果】
【００１９】
請求項１に記載の表示装置、請求項１２に記載の表示方法、及び請求項１３に記載の表示プログラムによれば、検出手段により検出された表示手段の表示面と利用者の手指との距離に基づき表示手段に表示されている情報を変化させ、手指の所定の動作が表示手段の表示面と利用者の手指との距離が維持されている状態で検出手段により検出された場合、当該検出後の情報の変化を抑制するので、利用者は表示面と手指との距離に応じた直感的且つ容易な動作に基づいて表示手段に表示されている情報を変化させることができると共に、手指の所定の動作をするだけで、表示手段に表示されている情報の変化を抑制することが可能となり、表示装置の操作性が向上する。
【００２０】
また、請求項２に記載の表示装置によれば、手指の所定の動作は、表示手段の表示面に略直交する軸回りの所定方向への手指の回転であるので、利用者は鍵を掛けるが如き直感的且つ容易な動作をするだけで表示手段に表示されている情報の変化を抑制することが可能となり、表示装置の操作性を向上させることができる。
【００２１】
また、請求項３に記載の表示装置によれば、検出手段により手指の回転が検出された回数、及び／又は回転方向に応じて情報の変化の抑制とは異なる処理を行うので、利用者は手指の回転の回数や回転方向を変えるだけで、表示手段に表示されている情報の変化の抑制とは異なる処理についての各種制御を表示装置に行わせることができる。
【００２２】
また、請求項４に記載の表示装置によれば、軸回りの所定方向への手指の回転が検出手段により検出された場合に当該検出後の表示手段に表示されている情報の変化を抑制し、所定方向とは逆方向への手指の回転が検出手段により検出された場合に変化の抑制を解除するので、利用者は鍵の開閉の如き直感的且つ容易な動作をするだけで表示手段に表示されている情報の変化を抑制したり、その抑制を解除することが可能となり、操作性を一層向上させることができる。
【００２３】
また、請求項５に記載の表示装置によれば、所定方向とは逆方向への手指の回転が検出手段により検出された場合、検出手段により検出された表示手段の表示面と利用者の手指との距離の変化に対応して表示手段に表示されている情報を変化させる際の変化方向を逆転するので、利用者は鍵の開閉の如き直感的且つ容易な動作をするだけで、表示手段に表示されている情報を変化させる際の変化方向を逆転することができ、表示手段の前方で前後方向に手指を往復させることで表示手段に表示されている情報を十分に変化させることが可能となる等、一層柔軟な表示制御が可能となる。
【００２４】
また、請求項６に記載の表示装置によれば、軸回りに手指が所定角度回転する毎に、１回の手指の所定の動作を検出したものとするので、利用者が手指を所望の角度で回転させるだけで、その角度に応じた回数の動作を表示装置に検出させることが可能となり、表示装置の操作性が一層向上する。
【００２５】
また、請求項７に記載の表示装置によれば、手指の所定の動作は、表示手段の表示面と略平行な面内での各手指の平行移動であるので、利用者が表示手段の前で手指を平行移動させるだけで、表示手段に表示されている情報の変化を抑制することが可能となり、表示装置の操作性を向上させることができる。
【００２６】
また、請求項８に記載の表示装置によれば、表示手段の表示面と利用者の手指との距離が維持されている状態で手指の所定の動作が検出手段により検出されないまま所定時間経過した場合、当該手指の所定の動作に関する案内を表示手段に表示させるので、表示手段に表示されている情報の変化を抑制するために必要な動作を適切なタイミングで利用者に案内することができ、利便性を一層向上させることができる。
【００２７】
また、請求項９に記載の表示装置によれば、検出手段により検出された表示手段の表示面と利用者の手指との距離に基づき、表示手段に表示されている地図の縮尺を変化させ、手指の所定の動作が検出手段により検出された場合、当該検出時の状態で縮尺を固定するので、利用者は直感的且つ容易な動作に基づいて表示手段に表示されている地図の縮尺を変化させることができると共に、手指の所定の動作をするだけで、表示手段の表示面と利用者の手指との距離に応じた所望の状態で地図の縮尺を固定することが可能となり、地図表示画面に対する操作性を向上させることができる。
【００２８】
また、請求項１０に記載の表示装置によれば、表示制御手段は、検出手段により検出された表示手段の表示面と利用者の手指との距離に基づき、表示手段に表示されている選択項目を変化させ、機能制御手段は、手指の所定の動作が検出手段により検出された場合、当該検出時に表示手段に表示されている選択項目に対応する制御を行うので、利用者は表示面と手指との距離に応じた直感的且つ容易な動作に基づいて表示手段に表示されている選択項目を変化させることができると共に、手指の所定の動作をするだけで、表示手段の表示面と利用者の手指との距離に応じた所望の選択項目を選択することが可能となり、各種機器の機能制御に関する操作性を向上させることができる。
【図面の簡単な説明】
【００２９】
【図１】実施の形態１に係る表示装置を例示するブロック図である。
【図２】モニタの正面図を利用者の手と共に例示する図である。
【図３】表示制御処理のフローチャートである。
【図４】地図を表示する液晶パネルの斜視図であり、図４（ａ）は利用者の手指がモニタの表示面に接近した場合を例示する図、図４（ｂ）は利用者の手指がモニタの表示面から離れた場合を例示する図である。
【図５】モニタの表示面に略直交する軸回りの手指の回転を示した図である。
【図６】モニタの表示面と略平行な面内での各手指の平行移動を示した図である。
【図７】手指の所定の動作に関する案内を表示する液晶パネルの斜視図である。
【図８】実施の形態２に係る表示制御処理のフローチャートである。
【図９】選択項目としてオーディオやエアコン等の機能を選択するための選択ボタンを表示する液晶パネルの斜視図であり、図９（ａ）は利用者の手指がモニタの表示面に接近した場合を例示する図、図９（ｂ）は利用者の手指がモニタの表示面から離れた場合を例示する図である。
【図１０】選択項目としてエアコンの設定温度の調整ツマミを表示する液晶パネルの斜視図であり、図１０（ａ）は利用者の手指がモニタの表示面に接近した場合を例示する図、図１０（ｂ）は利用者の手指がモニタの表示面から離れた場合を例示する図である。
【図１１】地図と機能選択画面とを表示する液晶パネルの斜視図であり、図１１（ａ）は利用者の手指がモニタの表示面に接近した場合を例示する図、図１１（ｂ）は利用者の手指がモニタの表示面から離れた場合を例示する図である。
【図１２】図１１の例においてさらに選択項目としてエアコンの設定温度を機能選択画面に表示した液晶パネルの斜視図であり、図１２（ａ）は利用者の手指がモニタの表示面に接近した場合を例示する図、図１２（ｂ）は利用者の手指がモニタの表示面から離れた場合を例示する図である。
【図１３】実施の形態３に係る表示制御処理のフローチャートである。
【発明を実施するための形態】
【００３０】
以下、本発明に係る表示装置、表示方法、及び表示プログラムの各実施の形態について図面を参照しつつ詳細に説明する。ただし、これらの各実施の形態によって本発明が限定されるものではない。なお、本発明に係る表示装置、表示方法、及び表示プログラムは、任意の目的に使用することができるが、以下の各実施の形態では、カーナビゲーションシステムに適用した例を示す。
【００３１】
〔実施の形態１〕
まず、実施の形態１に係る表示装置について説明する。この実施の形態１は、所定方向への手指の回転が検出された場合に当該検出後の地図縮尺を固定し、所定方向とは逆方向への手指の回転が検出された場合に地図縮尺の固定を解除する形態である。
【００３２】
（構成）
最初に、実施の形態１に係る表示装置の構成について説明する。図１は実施の形態１に係る表示装置を例示するブロック図である。この図１に示すように、この表示装置１は、モニタ１０と表示制御装置２０を備えている。
【００３３】
（構成−モニタ）
モニタ１０は、情報を表示する表示手段であると共に、利用者からの操作入力を受け付ける入力手段である。図２はモニタ１０の正面図を利用者の手と共に例示する図である。このモニタ１０は、液晶パネル１１、タッチパネル１２、及び近接センサ１３を備えている。ここで、「利用者」とは、表示装置１を利用する全ての者を含むが、表示装置１がカーナビゲーションシステムに適用されている場合においては、車両の運転者及び同乗者である。以下では、運転者及び同乗者のうち、その時点において表示装置１を操作している者を「利用者」と称する。
【００３４】
（構成−モニタ−液晶パネル）
液晶パネル１１は、表示制御装置２０の制御に基づいて各種の表示画面を表示する表示手段である。この液晶パネル１１としては公知のものを用いることができる。また、表示手段として、液晶パネル１１に代えて、例えば有機ＥＬディスプレイの如き任意の方式の表示手段を使用することができる。
【００３５】
（構成−モニタ−タッチパネル）
タッチパネル１２は、利用者の指等で押圧されることによって操作入力を受け付ける入力手段である。このタッチパネル１２は、透明又は半透明状に形成され、液晶パネル１１の前面において当該液晶パネル１１の表示面と重なり合うように設けられている。このタッチパネル１２としては、例えば抵抗膜方式や静電容量方式等による操作位置検出手段を備えた公知のタッチパネルを使用することができる。
【００３６】
（構成−近接センサ）
近接センサ１３は、モニタ１０の表示面と利用者の手指との距離、及び当該手指の所定の動作を検出する検出手段である。ここで、「モニタ１０の表示面」とは、例えば液晶パネル１１の表面やタッチパネル１２の表面、あるいはモニタ１０の筐体（図示省略）の表面等を意味する。また、「モニタ１０の表示面と利用者の手指との距離」とは、モニタ１０の表示面に直交する方向（以下、前後方向）におけるモニタ１０の表示面と、最もモニタ１０に近い利用者の手指（図２の例では人差し指）との距離を指すものとする。また、「手指の動作」には、任意の軸を中心として手指を回転させる動作、前後方向に手指を移動させる動作、モニタ１０の表示面と平行な方向（以下、平行方向）に手指を移動させる動作、上記各動作の任意の動作を組み合わせた動作、及び手指を移動させずに維持する動作等が含まれる。この近接センサ１３としては、例えば、赤外線式センサや静電容量式センサを用いることできる。
【００３７】
例えばタッチパネル１２が投影型静電容量方式のタッチパネル１２である場合、このタッチパネル１２を近接センサ１３としても用いることができる。この場合、タッチパネル１２を構成する各センサ電極の静電容量を検出することにより、各センサ電極から利用者の手指までの距離を算出する。例えば、利用者の手指の形が、図２に示すように人差し指を伸ばす形となっており、各手指のうち人差し指の先端が最もタッチパネル１２に接近していることを前提とした場合、各センサ電極から利用者の手指までの距離に違いに基づき、人差し指の位置と、その他の指（親指、中指、薬指、小指）の位置を検出することができる。すなわち、利用者の手指までの距離が最も短いセンサ電極の位置からタッチパネル１２の表面と略直交する方向に伸ばした直線上に人差し指が位置しており、相対的に利用者の手指までの距離が長い各センサ電極からタッチパネル１２の表面と略直交する方向に伸ばした直線上に他の指が位置していることが検出される。このように検出した各手指の位置に基づき、手指の動作を検出することができる。
【００３８】
あるいは、タッチパネル１２と利用者の手指との距離を赤外線式センサや静電容量式センサを用いて検出し、手指の動作についてはカメラ（図示省略）を用いて検出するようにしてもよい。例えば、タッチパネル１２を囲むフレームに配置したカメラによってタッチパネル１２前方の画像データを取得し、公知の画像認識技術を用いることでその画像データにおける各手指の位置を認識する。これにより、タッチパネル１２の前方における手指の動作を検出することができる。
【００３９】
（構成−表示制御装置）
図１に戻り、表示制御装置２０は、近接センサ１３からの出力に基づいて液晶パネル１１を制御する表示制御手段である。この表示制御装置２０は、制御部２１及びデータ記録部２２を備えて構成されている。
【００４０】
（構成−表示制御装置−制御部）
制御部２１は、表示制御装置２０を制御する制御手段であり、具体的には、ＣＰＵ、当該ＣＰＵ上で解釈実行される各種のプログラム（ＯＳなどの基本制御プログラムや、ＯＳ上で起動され特定機能を実現するアプリケーションプログラムを含む）、及びプログラムや各種のデータを格納するためのＲＡＭの如き内部メモリを備えて構成されるコンピュータである。特に、本実施の形態１に係る表示プログラムは、任意の記録媒体又はネットワークを介して表示制御装置２０にインストールされることで、制御部２１の各部を実質的に構成する。
【００４１】
この制御部２１は、機能概念的に、動作検出部２１ａ、及び表示制御部２１ｂを備えている。動作検出部２１ａは、近接センサ１３からの出力に基づき、モニタ１０の表示面と利用者の手指との距離、及び当該手指の所定の動作を検出する検出手段である。表示制御部２１ｂは、動作検出部２１ａにより検出されたモニタ１０の表示面と利用者の手指との距離に基づき、液晶パネル１１に表示されている情報を変化させ、又は当該変化を抑制する表示制御手段である。これらの制御部２１の各部によって実行される処理の詳細については後述する。
【００４２】
（構成−表示制御装置−データ記録部）
データ記録部２２は、表示制御装置２０の動作に必要なプログラム及び各種のデータを記録する記録手段であり、例えば、外部記憶装置としてのハードディスク（図示省略）を用いて構成されている。ただし、ハードディスクに代えてあるいはハードディスクと共に、磁気ディスクの如き磁気的記録媒体、又はＤＶＤやブルーレイディスクの如き光学的記録媒体を含む、その他の任意の記録媒体を用いることができる。
【００４３】
このデータ記録部２２は、地図情報データベース２２ａ（以下、データベースをＤＢと略記する）を備えている。
【００４４】
地図情報ＤＢ２２ａは、地図情報を格納する地図情報格納手段である。「地図情報」は、例えばリンクデータ（リンク番号、接続ノード番号、道路座標、道路種別、車線数、走行規制等）、ノードデータ（ノード番号、座標）、地物データ（信号機、道路標識、ガードレール、建物等）、各種施設や地点等を案内するための地点データ（各地点の名称、各地点の位置、各地点の種別等を相互に関連付けた情報を含む）、地形データ、地図を液晶パネル１１に表示するための地図表示データ等を含んで構成されている。
【００４５】
（処理）
次に、このように構成された表示装置１によって実行される表示制御処理について説明する。図３は表示制御処理のフローチャートである（以下の各処理の説明ではステップを「Ｓ」と略記する）。この表示制御処理は、近接センサ１３からの出力に基づいて液晶パネル１１を制御するための処理であり、例えば、近接センサ１３からの出力に基づき変化させる対象となる情報が液晶パネル１１に表示されている間、繰り返し実行される。ここで、「近接センサ１３からの出力に基づき変化させる対象となる情報」とは、例えば、縮尺変更が可能な地図や、選択肢の変更が可能な各種機能に関する選択項目（例えば、ナビゲーションシステムの地点選択における地点名、ナビゲーションシステムにおける地点検索、経路探索、目的地設定等の各種機能を選択するための選択ボタン、オーディオやエアコン等の車載機器の機能を選択するための選択ボタン、オーディオの音量、エアコンの設定温度等）等を含む。本実施の形態１では、縮尺変更が可能な地図が液晶パネル１１に表示されている間に表示制御処理を行う場合を例として説明する。
【００４６】
表示制御処理が開始されると、動作検出部２１ａは、近接センサ１３によって利用者の手指が検出されたか否かを判定する（ＳＡ１）。例えば、近接センサ１３の検出範囲内（例えば近接センサ１３から２０ｃｍの範囲内）に手指が入ることで手指の存在が近接センサ１３により検出された場合に、利用者の手指が検出されたと判定する。
【００４７】
その結果、利用者の手指が検出されたと判定した場合（ＳＡ１、Ｙｅｓ）、動作検出部２１ａは、近接センサ１３からの出力に基づき、モニタ１０の表示面と利用者の手指との距離を検出する（ＳＡ２）。この際、動作検出部２１ａは検出した距離の履歴をＤＲＡＭ等の記憶手段に記憶する。
【００４８】
続いて動作検出部２１ａは、モニタ１０の表示面と利用者の手指との距離が維持されているか否かを判定する（ＳＡ３）。例えば、前回の表示制御処理のＳＡ２においてＤＲＡＭに記憶された距離と今回の表示制御処理のＳＡ２において検出された距離との差が所定範囲内（例えば±５ｍｍ以内）である場合に、モニタ１０の表示面と利用者の手指との距離が維持されていると判定する。また、前回の表示制御処理のＳＡ１において利用者の手指が検出されなかった場合には、モニタ１０の表示面と利用者の手指との距離が維持されていないものとする。
【００４９】
その結果、モニタ１０の表示面と利用者の手指との距離が維持されていないと判定した場合（ＳＡ３、Ｎｏ）、すなわち、利用者の手指が前後方向に移動した場合、表示制御部２１ｂは液晶パネル１１に表示されている地図の縮尺が固定された状態か否かを判定する（ＳＡ４）。例えば、地図の縮尺が固定された状態か否かを示すフラグを予めＤＲＡＭに記憶させておき、このフラグを参照することにより表示制御部２１ｂは地図の縮尺が固定された状態か否かを判定する。その結果、地図の縮尺が固定された状態と判定した場合（ＳＡ４、Ｙｅｓ）、表示制御を行うことはできないとし、制御部２１は表示制御処理を終了する。一方、地図の縮尺が固定された状態ではない（地図の縮尺を変更可能な状態）と判定した場合（ＳＡ４、Ｎｏ）、動作検出部２１ａは、利用者の手指がモニタ１０の表示面に接近したか否かを判定する（ＳＡ５）。すなわち、モニタ１０の表示面と利用者の手指との距離が縮小したか否かを判定する。
【００５０】
その結果、利用者の手指がモニタ１０の表示面に接近したと判定した場合（ＳＡ５、Ｙｅｓ）、表示制御部２１ｂは、液晶パネル１１に表示されている地図の縮尺を拡大させる（ＳＡ６）。一方、利用者の手指がモニタ１０の表示面に接近していないと判定した場合（ＳＡ５、Ｎｏ）、すなわち利用者の手指がモニタ１０の表示面から離れた場合、表示制御部２１ｂは、液晶パネル１１に表示されている地図の縮尺を縮小させる（ＳＡ７）。この際、モニタ１０の表示面と利用者の手指との距離の変化量に応じて、地図縮尺の変化率を決定してもよい。例えば、モニタ１０の表示面に利用者の手指が大きく接近するほど地図縮尺の拡大率が大きくなるようにし、モニタ１０の表示面から利用者の手指が大きく離れるほど地図縮尺の縮小率が大きくなるようにしてもよい。
【００５１】
図４は地図を表示する液晶パネル１１の斜視図であり、図４（ａ）は利用者の手指がモニタ１０の表示面に接近した場合を例示する図、図４（ｂ）は利用者の手指がモニタ１０の表示面から離れた場合を例示する図である。図４（ａ）に示すように、利用者の手指がモニタ１０の表示面に接近し、モニタ１０の表示面と利用者の手指との距離が縮小すると、表示制御部２１ｂは液晶パネル１１に表示されている地図の縮尺を拡大する（図４（ａ）では縮尺目盛１１ａが「５０ｍ」となるように地図の縮尺を拡大）。これにより、液晶パネル１１には詳細な地図が表示される。一方、図４（ｂ）に示すように、利用者の手指がモニタ１０の表示面から離れ、モニタ１０の表示面と利用者の手指との距離が拡大すると、表示制御部２１ｂは液晶パネル１１に表示されている地図の縮尺１１ａを縮小する（図４（ｂ）では縮尺目盛１１ａが「１５０ｍ」となるように地図の縮尺を縮小）。これにより、液晶パネル１１には、図４（ａ）の例で表示されていた地図の範囲１１ｂ（図４（ｂ）で点線で囲まれた範囲）よりも広域の地図が表示される。図３に戻り、ＳＡ６又はＳＡ７の処理の後、制御部２１は表示制御処理を終了する。
【００５２】
また、ＳＡ３の処理において、モニタ１０の表示面と利用者の手指との距離が維持されていると判定した場合（ＳＡ３、Ｙｅｓ）、すなわち、利用者の手指が前後方向に移動していない場合、動作検出部２１ａは、近接センサ１３からの出力に基づき、利用者の手指の所定の動作をモニタ１０の表示面と利用者の手指との距離が維持されている状態で検出したか否かを判定する（ＳＡ８）。
【００５３】
「手指の所定の動作」の具体的な内容は任意で、例えば図５に例示したように、モニタ１０の表示面に略直交する軸（図５の一点鎖線）周りの所定方向への手指の回転を「手指の所定の動作」とする。この手指の回転を検出したと判定する基準は任意で、例えば、モニタ１０の表示面に略直交する軸回りに手指が所定角度回転する毎に、１回の手指の回転を検出したものとする。具体的には、各回の表示制御処理のＳＡ２においてＤＲＡＭに記憶されたモニタ１０の表示面と利用者の手指との距離の履歴に基づき、利用者の各手指のうち人差し指の位置に変化がなく、他の手指の位置が人差し指の位置を中心として所定角度（例えば４５度、９０度、あるいは１８０度等）回転していることが、モニタ１０の表示面と利用者の手指との距離が維持されている状態で近接センサ１３により検出された場合、動作検出部２１ａはモニタ１０の表示面に略直交する軸周りの手指の回転を検出したと判定する。この場合、例えば手指が４５度回転する毎に１回の手指の回転を検出することとし、手指が９０度回転していることが検出された場合には、２回の手指の回転を検出したものとする。さらに、動作検出部２１ａがモニタ１０の表示面に略直交する軸周りの手指の回転を検出する度に、当該手指の回転を検出した旨を表すクリック音等をスピーカ（図示省略）から出力させてもよい。
【００５４】
あるいは図６に例示したように、モニタ１０の表示面と略平行な面内での各手指の平行移動を「手指の所定の動作」としてもよい。各手指の平行移動を検出したと判定する基準は任意で、例えば図６に示すように、モニタ１０の表示面と略平行な面内でモニタ１０の上下方向又は左右方向に各手指が平行に移動した場合に、各手指の平行移動として検出する。具体的には、各回の表示制御処理のＳＡ２においてＤＲＡＭに記憶されたモニタ１０の表示面と利用者の手指との距離の履歴に基づき、利用者の各手指相互間の位置関係が変わらないまま手指が移動していることが、モニタ１０の表示面と利用者の手指との距離が維持されている状態で近接センサ１３により検出された場合、動作検出部２１ａはモニタ１０の表示面と略平行な面内での各手指の平行移動を検出したと判定する。
【００５５】
図３に戻り、ＳＡ８において利用者の手指の所定の動作をモニタ１０の表示面と利用者の手指との距離が維持されている状態で検出したと判定した場合（ＳＡ８、Ｙｅｓ）、動作検出部２１ａは、検出した動作の種別を判定する（ＳＡ９）。ここで「動作の種別」には、液晶パネル１１に表示されている情報の変化を抑制するための動作（以下、抑制動作）、及び情報の変化の抑制を解除するための動作（以下、解除動作）が含まれる。「動作の種別」の判定基準は任意で、例えばモニタ１０の表示面に略直交する軸周りの手指の回転を「手指の所定の動作」とする場合、図５に示すようにモニタ１０に向かって時計回りに手指を回転させる動作を抑制動作、反時計回りに手指を回転させる動作を解除動作として判定する。このようにすることで、鍵の開閉の如き直感的な動作に基づいて、抑制動作や解除動作を検出することが可能となり、操作性を一層向上させることができる。また、モニタ１０の表示面と略平行な面内での各手指の平行移動を「手指の所定の動作」とする場合、図６に示すようにモニタ１０の左右方向に手指を平行移動させる動作を抑制動作、上下方向に手指を平行移動させる動作を解除動作として判定する。
【００５６】
図３に戻り、ＳＡ９において、ＳＡ８で検出した動作の種別が抑制動作であると判定した場合（ＳＡ９、抑制動作）、表示制御部２１ｂは、液晶パネル１１に表示されている情報の当該検出後の変化を抑制する（ＳＡ１０）。すなわち、本実施の形態１の例では、地図の縮尺が固定された状態である旨のフラグをＤＲＡＭに記憶させることで、ＳＡ８において利用者の手指の所定の動作を検出した時点の縮尺にて地図の縮尺を固定した状態（地図縮尺の変化を抑制した状態）とする。
【００５７】
一方、ＳＡ８で検出した動作の種別が解除動作であると判定した場合（ＳＡ９、解除動作）、表示制御部２１ｂは、液晶パネル１１に表示されている情報の変化の抑制を解除する（ＳＡ１１）。すなわち、本実施の形態１の例では、地図の縮尺が固定されていない状態である旨のフラグをＤＲＡＭに記憶させることで、地図の縮尺を変更可能な状態（地図縮尺の変化の抑制を解除した状態）とする。ＳＡ１０又はＳＡ１１の処理の後、制御部２１は表示制御処理を終了する。
【００５８】
また、ＳＡ８において利用者の手指の所定の動作をモニタ１０の表示面と利用者の手指との距離が維持されている状態で検出しなかったと判定した場合（ＳＡ８、Ｎｏ）、表示制御部２１ｂは、モニタ１０の表示面と利用者の手指との距離が維持されている状態で手指の所定の動作が動作検出部２１ａにより検出されないまま所定時間経過したか否かを判定する（ＳＡ１２）。例えば表示制御部２１ｂは、各回の表示制御処理のＳＡ２においてＤＲＡＭに記憶されたモニタ１０の表示面と利用者の手指との距離の履歴に基づき、利用者の各手指の位置に変化がない状態で所定の待機時間（例えば５秒）が経過したか否かを判定する。
【００５９】
その結果、モニタ１０の表示面と利用者の手指との距離が維持されている状態で手指の所定の動作が動作検出部２１ａにより検出されないまま所定時間経過したと判定した場合（ＳＡ１２、Ｙｅｓ）、表示制御部２１ｂは、手指の所定の動作に関する案内を液晶パネル１１に表示させる（ＳＡ１３）。例えば、モニタ１０の表示面に略直交する軸周りの手指の回転を「手指の所定の動作」とする場合、図７に示すように、モニタ１０に向かって時計回りに手指を回転させると地図縮尺が固定され、反時計回りに手指を回転させると地図縮尺の固定が解除される旨の案内を液晶パネル１１に表示させる。
【００６０】
図３に戻り、ＳＡ１３の処理の後、又はＳＡ１２でモニタ１０の表示面と利用者の手指との距離が維持されている状態で手指の所定の動作が動作検出部２１ａにより検出されないまま所定時間経過していないと判定した場合（ＳＡ１２、Ｎｏ）、制御部２１は表示制御処理を終了する。
【００６１】
また、近接センサ１３の検出範囲内から検出範囲外に利用者の手指が退出したことにより、ＳＡ１において、近接センサ１３によって利用者の手指が検出されていないと動作検出部２１ａが判定した場合（ＳＡ１、Ｎｏ）、少なくとも利用者には液晶パネル１１に表示されている情報の変化を抑制させる意図がないものとし、表示制御部２１ｂは、液晶パネル１１に表示されている情報の変化の抑制を解除する（ＳＡ１１）。すなわち、地図の縮尺が固定されていない状態である旨のフラグをＤＲＡＭに記憶させることで、地図の縮尺を変更可能な状態（地図縮尺の変化の抑制を解除した状態）とする。ただし、近接センサ１３からの出力に基づき変化させる対象となる情報の表示が開始されてから一度も利用者の手指が検出されていない場合は、当然地図の縮尺は固定されていない状態であるので、ＳＡ１１の処理を省略してもよい。その後、制御部２１は表示制御処理を終了する。
【００６２】
（効果）
このように実施の形態１によれば、動作検出部２１ａにより検出されたモニタ１０の表示面と利用者の手指との距離に基づき液晶パネル１１に表示されている情報を変化させ、手指の所定の動作がモニタ１０の表示面と利用者の手指との距離が維持されている状態で動作検出部２１ａにより検出された場合、当該検出後の情報の変化を抑制するので、利用者は表示面と手指との距離に応じた直感的且つ容易な動作に基づいて液晶パネル１１に表示されている情報を変化させることができると共に、手指の所定の動作をするだけで、液晶パネル１１に表示されている情報の変化を抑制することが可能となり、表示装置１の操作性が向上する。
【００６３】
また、手指の所定の動作は、モニタ１０の表示面に略直交する軸回りの所定方向への手指の回転であるので、利用者は鍵を掛けるが如き直感的且つ容易な動作をするだけで液晶パネル１１に表示されている情報の変化を抑制することが可能となり、表示装置１の操作性を向上させることができる。
【００６４】
また、近接センサ１３により手指の回転が検出された回転方向に応じて情報の変化の抑制とは異なる処理を行うので、利用者は手指の回転方向を変えるだけで、液晶パネル１１に表示されている情報の変化の抑制とは異なる処理についての各種制御を表示装置１に行わせることができる。
【００６５】
また、軸回りの所定方向への手指の回転が動作検出部２１ａにより検出された場合に当該検出後の液晶パネル１１に表示されている情報の変化を抑制し、所定方向とは逆方向への手指の回転が動作検出部２１ａにより検出された場合に変化の抑制を解除するので、利用者は鍵の開閉の如き直感的且つ容易な動作をするだけで液晶パネル１１に表示されている情報の変化を抑制したり、その抑制を解除することが可能となり、操作性を一層向上させることができる。
【００６６】
また、軸回りに手指が所定角度回転する毎に、１回の手指の所定の動作を検出したものとするので、利用者が手指を所望の角度で回転させるだけで、その角度に応じた回数の動作を表示装置１に検出させることが可能となり、表示装置１の操作性が一層向上する。
【００６７】
また、手指の所定の動作は、モニタ１０の表示面と略平行な面内での各手指の平行移動であるので、利用者がモニタ１０の前で手指を平行移動させるだけで、液晶パネル１１に表示されている情報の変化を抑制することが可能となり、表示装置１の操作性を向上させることができる。
【００６８】
また、モニタ１０の表示面と利用者の手指との距離が維持されている状態で手指の所定の動作が動作検出部２１ａにより検出されないまま所定時間経過した場合、当該手指の所定の動作に関する案内を液晶パネル１１に表示させるので、液晶パネル１１に表示されている情報の変化を抑制するために必要な動作を適切なタイミングで利用者に案内することができ、利便性を一層向上させることができる。
【００６９】
また、動作検出部２１ａにより検出されたモニタ１０の表示面と利用者の手指との距離に基づき、液晶パネル１１に表示されている地図の縮尺を変化させ、手指の所定の動作が動作検出部２１ａにより検出された場合、当該検出時の状態で縮尺を固定するので、利用者は直感的且つ容易な動作に基づいて液晶パネル１１に表示されている地図の縮尺を変化させることができると共に、手指の所定の動作をするだけで、モニタ１０の表示面と利用者の手指との距離に応じた所望の状態で地図の縮尺を固定することが可能となり、地図表示画面に対する操作性を向上させることができる。
【００７０】
〔実施の形態２〕
次に、実施の形態２について説明する。この実施の形態２は、所定方向とは逆方向への手指の回転が検出された場合、表示手段に表示されている情報を変化させる際の変化方向を逆転する形態である。なお、実施の形態２の構成は、特記する場合を除いて、実施の形態１の構成と略同一であり、実施の形態１の構成と略同一の構成についてはこの実施の形態１で用いたものと同一の符号及び／又は名称を必要に応じて付して、その説明を省略する。
【００７１】
（処理）
実施の形態２に係る表示装置１によって実行される表示制御処理について説明する。図８は実施の形態２に係る表示制御処理のフローチャートである。なお、ＳＢ１からＳＢ４は図３のＳＡ１からＳＡ４と、ＳＢ１１は図３のＳＡ１０と、ＳＢ１３からＳＢ１５は図３のＳＡ１１からＳＡ１３と同じであるので、説明を省略する。
【００７２】
ＳＢ４において、地図の縮尺が固定された状態ではない（地図の縮尺を変更可能な状態）と判定した場合（ＳＢ４、Ｎｏ）、表示制御部２１ｂは、モニタ１０の表示面と利用者の手指との距離の変化に対応して液晶パネル１１に表示されている情報を変化させる際の変化方向を確認する（ＳＢ５）。例えば、モニタ１０の表示面と利用者の手指との距離が縮小した場合における地図の縮尺の変化方向が拡大又は縮小の何れであるかを示すフラグを予めＤＲＡＭに記憶させておき、このフラグを参照することにより表示制御部２１ｂは地図の縮尺の変化方向を確認する。
【００７３】
続いて動作検出部２１ａは、ＳＢ５で特定した変化方向に基づき、モニタ１０の表示面と利用者の手指との距離の変化に対応して地図の縮尺を変化させる際の変化方向が、地図縮尺の拡大方向か否かを判定する（ＳＢ６）。その結果、モニタ１０の表示面と利用者の手指との距離の変化に対応して地図の縮尺を変化させる際の変化方向が、地図縮尺の拡大方向であると判定した場合（ＳＢ６、Ｙｅｓ）、表示制御部２１ｂは、液晶パネル１１に表示されている地図の縮尺を拡大させる（ＳＢ７）。一方、モニタ１０の表示面と利用者の手指との距離の変化に対応して地図の縮尺を変化させる際の変化方向が、地図縮尺の拡大方向ではない（縮小方向である）と判定した場合（ＳＢ６、Ｎｏ）、表示制御部２１ｂは、液晶パネル１１に表示されている地図の縮尺を縮小させる（ＳＢ８）。
【００７４】
ＳＢ３の処理において、モニタ１０の表示面と利用者の手指との距離が維持されていると判定した場合（ＳＢ３、Ｙｅｓ）、すなわち、利用者の手指が前後方向に移動していない場合、動作検出部２１ａは、近接センサ１３からの出力に基づき、モニタ１０の表示面に略直交する軸周りの利用者の手指の回転をモニタ１０の表示面と利用者の手指との距離が維持されている状態で検出したか否かを判定する（ＳＢ９）。
【００７５】
その結果、モニタ１０の表示面に略直交する軸周りの利用者の手指の回転をモニタ１０の表示面と利用者の手指との距離が維持されている状態で検出したと判定した場合（ＳＢ９、Ｙｅｓ）、動作検出部２１ａは、検出した動作の種別を判定する（ＳＢ１０）。ここで「動作の種別」には、液晶パネル１１に表示されている情報の変化を抑制するための動作（以下、抑制動作）、及び、モニタ１０の表示面と利用者の手指との距離の変化に対応して液晶パネル１１に表示されている情報を変化させる際の変化方向を逆転するための動作（以下、逆転動作）が含まれる。「動作の種別」の判定基準は任意で、例えばモニタ１０に向かって時計回りに手指を回転させる動作を抑制動作、反時計回りに手指を回転させる動作を逆転動作として判定する。
【００７６】
ＳＢ１０において、ＳＢ９で検出した動作の種別が逆転動作であると判定した場合（ＳＢ１０、逆転動作）、表示制御部２１ｂは、モニタ１０の表示面と利用者の手指との距離の変化に対応して液晶パネル１１に表示されている情報を変化させる際の変化方向を逆転する（ＳＢ１２）。すなわち、本実施の形態２の例では、モニタ１０の表示面と利用者の手指との距離が縮小した場合における地図の縮尺の変化方向が拡大又は縮小の何れであるかを示すフラグの値を、現在ＤＲＡＭに記憶されている値とは逆の値で上書きする（「拡大」から「縮小」、又は「縮小」から「拡大」）。ＳＢ１１又はＳＢ１２の処理の後、制御部２１は表示制御処理を終了する。
【００７７】
このように、モニタ１０の表示面に略直交する軸周りの利用者の手指の回転方向に応じて、液晶パネル１１に表示されている情報を変化させる際の変化方向を逆転することにより、モニタ１０の前方で前後方向に手指を往復させることで地図縮尺を連続的に拡大又は縮小させることが可能となる。例えば、モニタ１０の表示面と利用者の手指との距離が縮小した場合における地図の縮尺の変化方向が拡大である場合において、まず手指をモニタ１０に接近させることで地図の縮尺が拡大する。そして、手指をモニタ１０に十分に接近させた後、逆転動作（例えばモニタ１０の表示面に略直交する軸周りに手指を反時計回りに回転させる動作）を行う。これにより、液晶パネル１１に表示されている情報を変化させる際の変化方向が逆転し、モニタ１０の表示面と利用者の手指との距離が拡大した場合における地図の縮尺の変化方向が拡大となる。すなわち、この後、手指をモニタ１０から離すことで、地図の縮尺がさらに拡大する。さらに、近接センサ１３の検出範囲内で手指をモニタ１０から離した後、再び逆転動作を行うことで、モニタ１０の表示面と利用者の手指との距離が縮小した場合における地図の縮尺の変化方向が拡大となる。すなわち、この後、手指をモニタ１０に接近させることで、地図の縮尺がさらに拡大する。これにより、手指をモニタ１０に接近させ、あるいはモニタ１０から離す一方向の動作のみでは液晶パネル１１に表示されている情報の変化が不十分な場合であっても、モニタ１０の前方で前後方向に手指を往復させることで情報を十分に変化させることが可能となる。
【００７８】
（効果）
このように実施の形態２によれば、所定方向とは逆方向への手指の回転が動作検出部２１ａにより検出された場合、動作検出部２１ａにより検出されたモニタ１０の表示面と利用者の手指との距離の変化に対応して液晶パネル１１に表示されている情報を変化させる際の変化方向を逆転するので、利用者は鍵の開閉の如き直感的且つ容易な動作をするだけで、液晶パネル１１に表示されている情報を変化させる際の変化方向を逆転することができ、モニタ１０の前方で前後方向に手指を往復させることで液晶パネル１１に表示されている情報を十分に変化させることが可能となる等、一層柔軟な表示制御が可能となる。
【００７９】
〔実施の形態３〕
最後に、実施の形態３について説明する。この実施の形態３は、手指の所定の動作が検出された場合、当該検出時に表示手段に表示されている機能制御手段により制御される機能に関する選択項目に対応する制御を行う形態である。なお、実施の形態３の構成は、特記する場合を除いて、実施の形態１の構成と略同一であり、実施の形態１の構成と略同一の構成についてはこの実施の形態１で用いたものと同一の符号及び／又は名称を必要に応じて付して、その説明を省略する。
【００８０】
（構成）
まず、実施の形態３に係る表示装置１の構成について説明する。なお、実施の形態３に係る表示装置１の構成は制御部２１を除いて実施の形態１と同様であるので、ブロック図の図示を省略する。
【００８１】
（構成−表示制御装置−制御部）
実施の形態３に係る制御部２１は、動作検出部２１ａ及び表示制御部２１ｂに加えて、機能制御部を備えている。この機能制御部は、所定の機能を制御する機能制御手段である。ここで「所定の機能」の具体的な内容は任意で、例えば、各種車載機器（例えばカーナビゲーションシステム、ＡＶ機器、エアコン等）の機能を含む。
【００８２】
（処理）
次に、実施の形態３に係る表示装置１によって実行される表示制御処理について説明する。図１３は実施の形態３に係る表示制御処理のフローチャートである。なお、ＳＣ１からＳＣ３は図３のＳＡ１からＳＡ３と、ＳＣ５はＳＡ５と、ＳＣ８及びＳＣ９はＳＡ８及びＳＡ９と、ＳＣ１２及びＳＣ１３はＳＡ１２及びＳＡ１３と同じであるので、説明を省略する。
【００８３】
本実施の形態３では、選択肢の変更が可能な各種機能に関する選択項目（例えば、オーディオやエアコン等の機能を選択するための選択ボタン、オーディオの音量、エアコンの設定温度等）が液晶パネル１１に表示されている間に表示制御処理を行う場合を例として説明する。図９は選択項目としてオーディオやエアコン等の機能を選択するための選択ボタンを表示する液晶パネル１１の斜視図であり、図９（ａ）は利用者の手指がモニタ１０の表示面に接近した場合を例示する図、図９（ｂ）は利用者の手指がモニタ１０の表示面から離れた場合を例示する図である。また、図１０は選択項目としてエアコンの設定温度の調整ツマミを表示する液晶パネル１１の斜視図であり、図１０（ａ）は利用者の手指がモニタ１０の表示面に接近した場合を例示する図、図１０（ｂ）は利用者の手指がモニタ１０の表示面から離れた場合を例示する図である。また、図１１は地図と機能選択画面とを表示する液晶パネル１１の斜視図であり、図１１（ａ）は利用者の手指がモニタ１０の表示面に接近した場合を例示する図、図１１（ｂ）は利用者の手指がモニタ１０の表示面から離れた場合を例示する図である。また、図１２は図１１の例においてさらに選択項目としてエアコンの設定温度を機能選択画面に表示した液晶パネル１１の斜視図であり、図１２（ａ）は利用者の手指がモニタ１０の表示面に接近した場合を例示する図、図１２（ｂ）は利用者の手指がモニタ１０の表示面から離れた場合を例示する図である。なお、図１１及び図１２については、地図の縮尺が固定されている場合を例として説明する。
【００８４】
図１３のＳＣ３でモニタ１０の表示面と利用者の手指との距離が維持されていないと判定した場合（ＳＣ３、Ｎｏ）、すなわち、利用者の手指が前後方向に移動した場合、表示制御部２１ｂは液晶パネル１１に表示されている選択項目が固定された状態か否かを判定する（ＳＣ４）。図９や図１１の例では、オーディオやエアコン等の機能を選択するための選択ボタン１１ｃの選択先が固定された状態か否かを判定する。ここで、「選択ボタン１１ｃの選択先が固定された状態」とは、例えば選択先として固定されている選択ボタン１１ｃに対応する機能が利用されている状態を意味する。また、図１０の例では、エアコンの設定温度の調整ツマミ１１ｄが固定された状態か否かを判定する。ここで、「エアコンの設定温度の調整ツマミ１１ｄが固定された状態」とは、例えばエアコンの設定温度が固定されている状態を意味する。また、図１２の例では、エアコンの設定温度が固定されている状態か否かを判定する。
【００８５】
図１３のＳＣ５で、利用者の手指がモニタ１０の表示面に接近したと判定した場合（ＳＣ５、Ｙｅｓ）、表示制御部２１ｂは、利用者の手指とモニタ１０の表示面との距離に応じて、液晶パネル１１に表示されている選択項目を他の選択項目と識別可能な態様で所定の方向に変化させる（ＳＣ６）。例えば、図９（ａ）に示すように、液晶パネル１１の表示画面手前の選択ボタン１１ｃから表示画面奥の選択ボタン１１ｃに向かって、利用者の手指とモニタ１０の表示面との距離に応じて選択先を順次変更していく（図９（ａ）は選択ボタン１１ｃ「ワンセグ」が選択され、他の選択ボタン１１ｃよりも画面上側に飛び出した状態を示す）。また、図１０（ａ）の例では、エアコンの設定温度の調整ツマミ１１ｄを、利用者の手指とモニタ１０の表示面との距離に応じて「低」から「高」に向かって（図１０（ａ）では液晶パネル１１の表示画面手前から表示画面奥に向かって）移動させる。また、図１１（ａ）の例では、液晶パネル１１下部における機能選択画面１１ｅの左側に表示された選択ボタン１１ｃ上の機能名を利用者の手指とモニタ１０の表示面との距離に応じて所定の順序で順次変更していく（図１１（ａ）は「ワンセグ」が選択された状態を示す）。また、図１２（ａ）の例では、機能選択画面１１ｅの右側に表示されたエアコンの設定温度を利用者の手指とモニタ１０の表示面との距離に応じて上昇させる（図１２（ａ）は「２６℃」が設定された状態を示す）。
【００８６】
一方、利用者の手指がモニタ１０の表示面に接近していないと判定した場合（ＳＣ５、Ｎｏ）、すなわち利用者の手指がモニタ１０の表示面から離れた場合、表示制御部２１ｂは、液晶パネル１１に表示されている選択項目を、利用者の手指とモニタ１０の表示面との距離に応じてＳＣ６の所定の方向とは逆方向に変化させる（ＳＣ７）。例えば、図９（ｂ）に示すように、液晶パネル１１の表示画面奥の選択ボタン１１ｃから表示画面手前の選択ボタン１１ｃに向かって、利用者の手指とモニタ１０の表示面との距離に応じて選択先を順次変更していく（図９（ｂ）は選択ボタン１１ｃ「エアコン」が選択され、他の選択ボタン１１ｃよりも画面上側に飛び出した状態を示す）。また、図１０（ｂ）の例では、エアコンの設定温度の調整ツマミ１１ｄを、利用者の手指とモニタ１０の表示面との距離に応じて「高」から「低」に向かって（図１０（ｂ）では液晶パネル１１の表示画面奥から表示画面手前に向かって）移動させる。また、図１１（ｂ）の例では、機能選択画面１１ｅの左側に表示された選択ボタン１１ｃ上の機能名を、利用者の手指がモニタ１０の表示面に接近した場合とは逆の順序で利用者の手指とモニタ１０の表示面との距離に応じて順次変更していく（図１１（ｂ）は「エアコン」が選択された状態を示す）。また、図１２（ｂ）の例では、機能選択画面１１ｅの右側に表示されたエアコンの設定温度を利用者の手指とモニタ１０の表示面との距離に応じて下降させる（図１２（ｂ）は「１８℃」が設定された状態を示す）。
【００８７】
図１３に戻り、ＳＣ９において、ＳＣ８で検出した動作の種別が抑制動作であると判定した場合（ＳＣ９、抑制動作）、表示制御部２１ｂは、液晶パネル１１に表示されている情報の当該検出後の変化を抑制すると共に、機能制御部は、液晶パネル１１に表示されている選択項目に対応する制御を行う（ＳＣ１０）。例えば、図９（ａ）に示すように、ＳＣ８において利用者の手指の所定の動作を検出した時点で選択ボタン１１ｃ「ワンセグ」が選択されていた場合、機能制御部は地上デジタル放送の受像機（図示省略）を制御し、テレビ番組の受信や表示出力等を行わせる。また、図９（ｂ）のように、ＳＣ８において利用者の手指の所定の動作を検出した時点で選択ボタン１１ｃ「エアコン」が選択されていた場合、機能制御部は当該選択された選択ボタン１１ｃに関連する機能として、例えばエアコンの設定温度の調整ツマミを液晶パネル１１に表示させると共に、エアコンの設定温度を変更可能な状態とする（図１０に示した状態とする）。また、図１０（ａ）の例では、ＳＣ８において利用者の手指の所定の動作を検出した時点でエアコンの設定温度の調整ツマミ１１ｄが「設定温度２６℃」となるように位置されていた場合、機能制御部は設定温度が２６℃となるようにエアコンの制御を行う。また、図１１（ａ）の例では、ＳＣ８において利用者の手指の所定の動作を検出した時点で選択ボタン１１ｃ「エアコン」が選択されていた場合、機能制御部は当該選択された選択ボタン１１ｃに関連する機能として、例えばエアコンの設定温度を機能選択画面１１ｅの右側に表示させると共に、エアコンの設定温度を変更可能な状態とする（図１２に示した状態とする）。また、図１２（ａ）の例では、ＳＣ８において利用者の手指の所定の動作を検出した時点でエアコンの設定温度が「２６℃」とされていた場合、機能制御部は設定温度が２６℃となるようにエアコンの制御を行う。また、図１１の例で、ＳＣ８において利用者の手指の所定の動作を検出した時点で選択ボタン１１ｃ「ＣＤ」が選択されていた場合、機能制御部は当該選択された選択ボタン１１ｃに関連する機能として、例えばオーディオの音量を機能選択画面１１ｅの右側に表示させると共に、オーディオの音量を変更可能な状態とする。この場合において、ＳＣ８で利用者の手指の所定の動作を検出した時点でオーディオの音量が所定の値に設定されていた場合、機能制御部はその設定値となるように音量の制御を行う。また、表示制御部２１ｂは、ＳＣ８において利用者の手指の所定の動作を検出した時点で選択されていた項目にて選択項目が固定されている状態である旨のフラグをＤＲＡＭに記憶させる。
【００８８】
図１３に戻り、ＳＣ９において、ＳＣ８で検出した動作の種別が解除動作であると判定した場合（ＳＣ９、解除動作）、表示制御部２１ｂは、液晶パネル１１に表示されている情報の変化の抑制を解除する（ＳＣ１１）。すなわち、本実施の形態３の例では、液晶パネル１１に表示されている選択項目が固定されていない状態である旨のフラグをＤＲＡＭに記憶させる。ＳＣ１０又はＳＣ１１の処理の後、制御部２１は表示制御処理を終了する。
【００８９】
（効果）
このように実施の形態３によれば、表示制御部２１ｂは、動作検出部２１ａにより検出されたモニタ１０の表示面と利用者の手指との距離に基づき、液晶パネル１１に表示されている選択項目を変化させ、機能制御部は、手指の所定の動作が動作検出部２１ａにより検出された場合、当該検出時に液晶パネル１１に表示されている選択項目に対応する制御を行うので、利用者は表示面と手指との距離に応じた直感的且つ容易な動作に基づいて液晶パネル１１に表示されている選択項目を変化させることができると共に、手指の所定の動作をするだけで、モニタ１０の表示面と利用者の手指との距離に応じた所望の選択項目の選択が可能となり、各種機器の機能制御に関する操作性を向上させることができる。
【００９０】
〔各実施の形態に対する変形例〕
以上、本発明に係る各実施の形態について説明したが、本発明の具体的な構成及び手段は、特許請求の範囲に記載した各発明の技術的思想の範囲内において、任意に改変及び改良することができる。以下、このような変形例について説明する。
【００９１】
（解決しようとする課題や発明の効果について）
まず、発明が解決しようとする課題や発明の効果は、上述の内容に限定されるものではなく、発明の実施環境や構成の細部に応じて異なる可能性があり、上述した課題の一部のみを解決したり、上述した効果の一部のみを奏することがある。
【００９２】
（各実施の形態の相互の関係について）
上記説明した各実施の形態は、任意の組み合わせで相互に組み合わせることができる。例えば、実施の形態２と実施の形態３とを組み合わせてもよい。この場合、図８のＳＢ１０において、ＳＢ９で検出した動作の種別が逆転動作であると判定した場合（ＳＢ１０、逆転動作）、表示制御部２１ｂは、モニタ１０の表示面と利用者の手指との距離の変化に対応して液晶パネル１１に表示されている選択ボタン１１ｃや調整ツマミ１１ｄ等を変化させる際の変化方向を逆転する。これにより、手指をモニタ１０に接近させ、あるいはモニタ１０から離す一方向の動作のみでは液晶パネル１１に表示されている選択ボタン１１ｃや調整ツマミ１１ｄ等を十分に変化させられない場合であっても、モニタ１０の前方で前後方向に手指を往復させることで十分に変化させることが可能となる。
【００９３】
（表示制御処理について）
上述の各実施の形態では、モニタ１０の表示面に略直交する軸回りに手指が所定角度回転する毎に、手指の回転として検出し、その回転方向に応じて動作の種別を判定する例を説明したが、手指の回転が検出された回数に応じて動作の種別を判定し、情報の変化の抑制とは異なる処理を行うこととしてもよい。例えば、図３のＳＡ８で利用者の手指の所定の動作を検出したか否かを判定する際、動作検出部２１ａは、モニタ１０の表示面に略直交する軸回りに手指が４５度回転する毎に手指の回転として検出することとする。すなわち、一連の手指の回転動作において、モニタ１０の表示面に略直交する軸回りに手指が９０度回転した場合には、手指の回転を２回検出したものとし、手指が１８０度回転した場合には、手指の回転を４回検出したものとする。また、図３のＳＡ９で、ＳＡ８で検出した動作の種別を判定する際には、動作検出部２１ａは、例えば手指の回転を１回検出した場合には動作の種別が「抑制動作」であると判定し、手指の回転を２回検出した場合には動作の種別が「解除動作」であると判定する。
【００９４】
さらに、手指の回転が検出された回数、及び回転方向に応じて動作の種別を判定し、情報の変化の抑制とは異なる処理を行うこととしてもよい。例えば、実施の形態１と実施の形態２とを組み合わせて、「抑制動作」、「解除動作」、及び「逆転動作」を判定するようにしてもよい。この場合、検出した手指の所定の動作の種別を判定する際に、動作検出部２１ａは、例えばモニタ１０に向かって時計回りに手指を回転させる動作を１回検出した場合には抑制動作、反時計回りに手指を回転させる動作を１回検出した場合には解除動作、時計回り手指を回転させる動作を２回検出した場合には逆転動作として判定する。このように、近接センサ１３により手指の回転が検出された回数、及び／又は回転方向に応じて情報の変化の抑制とは異なる処理を行うことで、利用者は手指の回転の回数や回転方向を変えるだけで、液晶パネル１１に表示されている情報の変化の抑制とは異なる処理についての各種制御を表示装置に行わせることができる。
【００９５】
さらに、モニタ１０の表示面に略直交する軸回りの手指の回転、及びモニタ１０の表示面と略平行な面内での各手指の平行移動の各動作が検出された回数や各動作の方向に応じて動作の種別を判定し、異なる処理を行うこととしてもよい。例えば、例えばモニタ１０に向かって時計回りに手指を回転させる動作を１回検出した場合には抑制動作、反時計回りに手指を回転させる動作を１回検出した場合には解除動作、時計回り手指を回転させる動作を２回検出した場合には逆転動作として判定すると共に、モニタ１０の表示面と略平行な面内での手指を平行移動させる動作を検出した場合には、液晶パネル１１に表示されている情報を手指の移動に応じてスクロールさせるスクロール動作として判定してもよい。
【００９６】
また、上述の実施の形態３では、図１１及び図１２において液晶パネル１１に表示されている地図の縮尺が固定されている場合を例として説明したが、地図の縮尺を変化可能としてもよい。例えば、近接センサ１３を用いてモニタ１０の表示面に対する利用者の手指の位置（前後方向及び平行方向の位置）を特定する。その結果、液晶パネル１１に表示されている地図に対応する範囲（例えば、液晶パネル１１において地図が表示されている領域の前方の範囲）に利用者の手指が位置している場合には、実施の形態１と同様に、モニタ１０の表示面と利用者の手指との距離に応じて地図の縮尺を変化させる。また、液晶パネル１１に表示されている機能選択画面１１ｅに対応する範囲（例えば、液晶パネル１１において機能選択画面１１ｅが表示されている領域の前方の範囲）に利用者の手指が位置している場合には、実施の形態３で説明したように、モニタ１０の表示面と利用者の手指との距離に応じて選択ボタン１１ｃやエアコンの設定温度等を変化させる。
【符号の説明】
【００９７】
１  表示装置
１０  モニタ
１１  液晶パネル
１１ａ  縮尺目盛
１１ｂ  図４（ａ）の例で表示されていた地図の範囲
１１ｃ  選択ボタン
１１ｄ  調整ツマミ
１１ｅ  機能選択画面
１２  タッチパネル
１３  近接センサ
２０  表示制御装置
２１  制御部
２１ａ  動作検出部
２１ｂ  表示制御部
２２  データ記録部
２２ａ  地図情報ＤＢ
【図１】
2011253468.tif 000003
【図２】
2011253468.tif 000004
【図３】
2011253468.tif 000005
【図４】
2011253468.tif 000006
【図５】
2011253468.tif 000007
【図６】
2011253468.tif 000008
【図７】
2011253468.tif 000009
【図８】
2011253468.tif 000010
【図９】
2011253468.tif 000011
【図１０】
2011253468.tif 000012
【図１１】
2011253468.tif 000013
【図１２】
2011253468.tif 000014
【図１３】
2011253468.tif 000015